(57)【要約】【課題】見苦しい印象を与えることなくロール状の紙を安定的に支持する。【解決手段】外殻体１０は、左右一対の側板部１２ａ，１２ｂと、前板部１３ａ及び奥板部１３ｂと、屋根部１１と、側板貫通孔１４と、開口部１６とを有する。側板貫通孔１４は、側板部１２ａ，１２ｂに各々設けられ、外殻体１０内にほぼ水平状態で配設される支持軸材３０の各端部が挿通状態とされるものである。開口部１６は、外殻体１０の下部に形成され、外殻体１０の内部に対してロール状の紙の収容及び取り出しをするとともに外殻体１０内のロール状の紙の先端部を取り出すためのものである。支持軸材３０は、その両端部がロール状の紙から露出する状態でロール状の紙（トイレットペーパー）ＲＰの芯材Ｃに挿通されるものであり、自身の軸線方向に沿って形成された軸線貫通孔３３を有する。【選択図】図２
0003117070.tif 000002
【実用新案登録請求の範囲】
【請求項１】
外殻体を有し、ロール状の紙を支持するロール状紙ホルダであって、
前記外殻体は、
左右一対の側板部と、
前記左右一対の側板部に各々設けられ、当該外殻体内に配置されるロール状の紙の中心貫通孔に挿通されるひも材等の線状材が挿通される側板貫通孔と、
当該外殻体内に配置されるロール状の紙の先端部を取り出し可能な取り出し部とを有する、
ロール状紙ホルダ。
【請求項２】
外殻体と支持軸材とを有し、ロール状の紙を支持するロール状紙ホルダであって、
前記外殻体は、
左右一対の側板部と、
前記左右一対の側板部に各々設けられ、当該外殻体内にほぼ水平状態で配設される前記支持軸材の各端部が挿通状態とされる側板貫通孔と、
当該外殻体内に配置されるロール状の紙の先端部を取り出し可能な取り出し部とを有し、
前記支持軸材は、
その両端部がロール状の紙から露出する状態で当該ロール状の紙の中心貫通孔に挿通されるものであり、
自身の軸線方向に沿って形成された軸線貫通孔を有する、
ロール状紙ホルダ。
【請求項３】
請求項１又は請求項２に記載のロール状紙ホルダであって、
前記外殻体は、さらに、手間側の前板部を有する、
ロール状紙ホルダ。
【請求項４】
請求項１〜請求項３のいずれかに記載のロール状紙ホルダであって、
前記外殻体は、さらに、屋根部を有する、
ロール状紙ホルダ。
【請求項５】
請求項１〜請求項４のいずれかに記載のロール状紙ホルダであって、
前記外殻体は、当該外殻体の内部へのロール状の紙の配置及び当該外殻体の内部からのロール状の紙の取り出しを行うための入出部を当該外殻体の下部に有し、
その入出部が前記取り出し部を兼ねている、
ロール状紙ホルダ。
【請求項６】
請求項３〜請求項５のいずれかに記載のロール状紙ホルダであって、
前記外殻体は、さらに、奥側の奥板部を有する、
ロール状紙ホルダ。
【請求項７】
請求項２〜請求項６のいずれかに記載のロール状紙ホルダであって、
前記支持軸材の各端部又はその近傍には、その間の部分の径よりも大径の抜け止め部が形成されている、
ロール状紙ホルダ。
【請求項８】
請求項４〜請求項７のいずれかに記載のロール状紙ホルダであって、
前記側板貫通孔は、各側板部の高さ成分を有する方向に沿って延び前記屋根部に対応する部分の近傍にまで及んでいる、
ロール状紙ホルダ。
【請求項９】
請求項８に記載のロール状紙ホルダであって、
前記側板貫通孔のうちの奥側の内縁部は、上方に向かうにつれて奥側に向かうように鉛直から傾斜している、
ロール状紙ホルダ。
【考案の詳細な説明】
【技術分野】
【０００１】
本考案は、ロール状の紙を支持するロール状紙ホルダに関するものである。
【背景技術】
【０００２】
一般的にトイレットペーパーは、ロール状にされている。そして、通常は、トイレに設置されたトイレットペーパーホルダに支持されている。
【０００３】
ところで、トイレットペーパー等、ロール状にされた紙がトイレ以外の一般の部屋においても使用される場合がある。
その場合は、そのロール状の紙が、そのままの状態でその部屋のいずれかの場所に載置される。
【０００４】
しかしながら、ロール状の紙は円柱状をしているため、そのようにされた場合、そのロール状の紙は転動しやすい。また、外観上、見苦しい印象を与える。
【考案の開示】
【考案が解決しようとする課題】
【０００５】
本考案は、見苦しい印象を与えることなくロール状の紙を一般の部屋等に安定的に支持することができるものを提供することを課題とする。
【課題を解決するための手段】
【０００６】
上記の課題を解決するために、請求項１に係る考案は、外殻体を有し、ロール状の紙を支持するロール状紙ホルダであって、前記外殻体は、左右一対の側板部と、前記左右一対の側板部に各々設けられ、当該外殻体内に配置されるロール状の紙の中心貫通孔に挿通されるひも材等の線状材が挿通される側板貫通孔と、当該外殻体内に配置されるロール状の紙の先端部を取り出し可能な取り出し部とを有する、ロール状紙ホルダである。
【０００７】
この考案のロール状紙ホルダでは、ロール状の紙が外殻体内に配置される。
そして、ひも材又は針金等の線状材が、一方の側板部の側板貫通孔，ロール状の紙の中心貫通孔，他方の側板部の側板貫通孔にわたって挿通される。
そして、線状材の端部同士が結合されてループ状にされ、そのループ状の線状材がフック等に係止される。
その状態で、ロール状の紙の先端部が外殻体の取り出し部から取り出されて使用される。
【０００８】
このように、このロール状紙ホルダでは、ロール状の紙が外殻体内に収容され、ループ状の線状材がフック等に係止されて使用されるために、ロール状の紙が転動することなく、安定的に使用され得る。
また、このロール状紙ホルダでは、少なくとも左右一対の側板部を有しているため、それによって、外殻体内に配置されるロール状の紙の少なくとも一部が遮蔽され、外観が見苦しいものになることが防止又は軽減される。
【０００９】
請求項２に係る考案は、外殻体と支持軸材とを有し、ロール状の紙を支持するロール状紙ホルダであって、前記外殻体は、左右一対の側板部と、前記左右一対の側板部に各々設けられ、当該外殻体内にほぼ水平状態で配設される前記支持軸材の各端部が挿通状態とされる側板貫通孔と、当該外殻体内に配置されるロール状の紙の先端部を取り出し可能な取り出し部とを有し、前記支持軸材は、その両端部がロール状の紙から露出する状態で当該ロール状の紙の中心貫通孔に挿通されるものであり、自身の軸線方向に沿って形成された軸線貫通孔を有する、ロール状紙ホルダである。
【００１０】
この考案のロール状紙ホルダでは、支持軸材の軸線貫通孔に対してひも材又は針金等の線状材が挿通され、ロール状の紙が外殻体内に配置される。
そして、支持軸材が、一方の側板部の側板貫通孔，ロール状の紙の中心貫通孔，他方の側板部の側板貫通孔にわたって挿通される。
こうして、支持軸材がほぼ水平状態で外殻体内のロール状の紙を支持しつつ、支持軸材の各端部が各側板部の側板貫通孔に対して挿通状態とされる。
そして、線状材の端部同士が結合されてループ状にされ、そのループ状の線状材がフック等に係止される。
その状態で、ロール状の紙の先端部が外殻体の取り出し部から取り出されて使用される。
【００１１】
このように、このロール状紙ホルダでは、ロール状の紙が外殻体内に収容され、ループ状の線状材がフック等に係止されて使用されるために、ロール状の紙が転動することなく、安定的に使用され得る。
また、このロール状紙ホルダでは、少なくとも左右一対の側板部を有しているため、それによって、外殻体内に配置されるロール状の紙の少なくとも一部が遮蔽され、外観が見苦しいものになることが防止又は軽減される。
【００１２】
また、このロール状紙ホルダでは、線状材がロール状の紙の中心貫通孔及び各側板部の側板貫通孔に対して直接的に挿通されるのではなく、線状材は、支持軸材の軸線貫通孔に挿通され、ロール状の紙の中心貫通孔及び各側板貫通孔に対しては支持軸材を介して間接的に挿通される。
すなわち、線状材が直接的にロール状の紙の中心貫通孔及び各側板貫通孔に対して挿通される場合には、ロール状の紙の先端部が外殻体の取り出し部から取り出されようとしてロール状の紙が回転しようとする際において、線状材とロール状の紙の中心貫通孔（そのうちの各端部）との間の摩擦によってロール状の紙が円滑に回転しない事態もあり得る。しかし、このロール状紙ホルダでは、ロール状の紙が支持軸材に対して回転する（及び／又は支持軸材が線状材に対して回転する）ことによってロール状の紙が回転するため、ロール状の紙がより円滑に回転し得ることとなる。
【００１３】
請求項３に係る考案は、請求項１又は請求項２に係る考案のロール状紙ホルダであって、前記外殻体は、さらに、手間側の前板部を有する、ロール状紙ホルダである。
【００１４】
この考案のロール状紙ホルダでは、請求項１又は請求項２に係る考案のロール状紙ホルダの作用効果に加えて、次の作用効果が得られる。
すなわち、このロール状紙ホルダでは、外殻体が前板部も有しているため、外殻体内に配置されるロール状の紙が前板部によっても遮蔽され、外観が見苦しいものになることがより一層防止又は軽減される。
【００１５】
請求項４に係る考案は、請求項１〜請求項３のいずれかに係る考案のロール状紙ホルダであって、前記外殻体は、さらに、屋根部を有する、ロール状紙ホルダである。
【００１６】
この考案のロール状紙ホルダでは、請求項１〜請求項３のいずれかに係る考案のロール状紙ホルダの作用効果に加えて、次の作用効果が得られる。
すなわち、このロール状紙ホルダでは、外殻体が屋根部も有しているため、外殻体内に配置されるロール状の紙が屋根部によっても遮蔽され、外観が見苦しいものになることがより一層防止又は軽減される。
【００１７】
請求項５に係る考案は、請求項１〜請求項４のいずれかに係る考案のロール状紙ホルダであって、前記外殻体は、当該外殻体の内部へのロール状の紙の配置及び当該外殻体の内部からのロール状の紙の取り出しを行うための入出部を当該外殻体の下部に有し、その入出部が前記取り出し部を兼ねている、ロール状紙ホルダである。
【００１８】
この考案のロール状紙ホルダでは、請求項１〜請求項４のいずれかに係る考案のロール状紙ホルダの作用効果に加えて、次の作用効果が得られる。
すなわち、このロール状紙ホルダでは、ロール状の紙を外殻体の内部に配置したり外殻体の内部から取り出すための入出部が外殻体の下部に形成されているため、その入出部が使用者によって視認されにくく、外観が見苦しいものになることがより一層防止又は軽減される。
また、このロール状紙ホルダでは、その入出部が取り出し部を兼ねているために、取り出し部が別個設けられる必要がない。
【００１９】
請求項６に係る考案は、請求項３〜請求項５のいずれかに係る考案のロール状紙ホルダであって、前記外殻体は、さらに、奥側の奥板部を有する、ロール状紙ホルダである。
【００２０】
この考案のロール状紙ホルダでは、請求項３〜請求項５のいずれかに係る考案のロール状紙ホルダの作用効果に加えて、次の作用効果が得られる。
すなわち、このロール状紙ホルダでは、外殻体が前板部とともに奥板部も有しているため、前後（手前側・奥側）を反転させて使用することも可能となる。
このため、このロール状紙ホルダが壁等の手前側に配置されて使用される場合（この場合は本来的には奥板部は必ずしも存在していなくてもよい）においても、前後を考慮することなく配置して使用することができる。
【００２１】
請求項７に係る考案は、請求項２〜請求項６のいずれかに係る考案のロール状紙ホルダであって、前記支持軸材の各端部又はその近傍には、その間の部分の径よりも大径の抜け止め部が形成されている、ロール状紙ホルダである。
【００２２】
この考案のロール状紙ホルダでは、請求項２〜請求項６のいずれかに係る考案のロール状紙ホルダの作用効果に加えて、次の作用効果が得られる。
すなわち、このロール状紙ホルダでは、支持軸材の各端部又はその近傍には、その間の部分の径よりも大径の抜け止め部が形成されているため、ほぼ水平状態の支持軸材がロール状の紙の中心貫通孔に挿通された状態で、その支持部材がロール状の紙から抜け出ることが防止される。
こうして、このロール状紙ホルダでは、請求項２〜請求項６に係る考案のロール状紙ホルダの効果がより確実に得られることとなる。
【００２３】
請求項８に係る考案は、請求項４〜請求項７のいずれかに係る考案のロール状紙ホルダであって、前記側板貫通孔は、各側板部の高さ成分を有する方向に沿って延び前記屋根部に対応する部分の近傍にまで及んでいる、ロール状紙ホルダである。
【００２４】
この考案のロール状紙ホルダでは、請求項４〜請求項７のいずれかに係る考案のロール状紙ホルダの作用効果に加えて、次の作用効果が得られる。
すなわち、このロール状紙ホルダでは、各側板貫通孔は、各側板部の高さ成分を有する方向に沿って延び、屋根部に対応する部分の近傍にまで及んでいる。
このため、線状材が支持軸材（支持軸材の各端部は外殻体の各側板貫通孔に挿通状態とされている）の軸線貫通孔を貫通した状態でループ状にされ、そのループ状の線状材がフック等に係止されて使用されることによって、外殻体は、自重によって下降しようとして、支持軸材は、外殻体に対して相対的に上昇しようとする。
こうして、外殻体内のロール状の紙（支持軸材によって支持されている）も外殻体に対して相対的に上昇して、そのロール状の紙（その上部）が屋根部（その下面）に当接する。そして、そのロール状の紙が使用されて徐々に小径になるにつれて、支持軸材とともにそのロール状の紙も上昇し、屋根に当接した状態が維持される。
【００２５】
このように、このロール状紙ホルダでは、ロール状の紙（その上部）が屋根部（その下面）に当接するため、ロール状の紙の先端部が外殻体の取り出し部から取り出されようとしてロール状の紙が回転しようとする際に、その回転に対して抵抗が付与される。
このため、ロール状の紙が過度に円滑に回転する（すなわち、回転しすぎる）ことが防止され、ロール状の紙が適切に回転し得ることとなる。
【００２６】
また、このロール状紙ホルダでは、各側板貫通孔が各側板部の高さ成分を有する方向に沿って延び屋根部に対応する部分の近傍にまで及んでいるため、次の作用効果も得られる。すなわち、使用者は、このロール状紙ホルダの外部から、その側板貫通孔を通して、内部のロール状の紙の端面を視認することができる。このため、使用者は、そのロール状の紙の残量を認識することが可能であり、ロール状の紙を交換するのに便利である。
【００２７】
請求項９に係る考案は、請求項８に係る考案のロール状紙ホルダであって、前記側板貫通孔のうちの奥側の内縁部は、上方に向かうにつれて奥側に向かうように鉛直から傾斜している、ロール状紙ホルダである。
【００２８】
この考案のロール状紙ホルダでは、請求項８に係る考案のロール状紙ホルダの作用効果に加えて、次の作用効果が得られる。
すなわち、このロール状紙ホルダでは、側板貫通孔のうちの奥側の内縁部が上方に向かうにつれて奥側に向かうように鉛直から傾斜しているため、壁に設けられたフックにループ状の線状材が係止されてこのロール状紙ホルダが使用される等、そのループ状の線状材が、支持軸材（その軸線貫通孔）に挿通されている部分を基準に支持軸材から離隔する方向に向かうにつれて、上方に向かうとともに奥側に向かうように鉛直から傾斜する場合において、ロール状の紙が使用されて徐々にロール状の紙が小径となって支持軸材が外殻体に対して相対的に上昇する際に、その支持軸材が線状材の傾斜方向又はそれに近い傾斜方向に沿って上昇することが可能となる。
このため、このロール状紙ホルダでは、より円滑に支持軸材が外殻体に対して相対的に上昇することが可能となって、請求項８に係る考案のロール状紙ホルダの作用効果がより確実に得られることとなる。
【考案を実施するための最良の形態】
【００２９】
次に、本考案の一実施形態について図面に基づいて説明する。
図１〜図３に示すように、このロール状紙ホルダは、外殻体１０，支持軸材３０を有している。そして、ロール状のトイレットペーパーＲＰ等のロール状の紙が収容され支持される。
一般的に、トイレットペーパーＲＰ（ロール状の紙）は、紙製の円筒状の芯材Ｃを中心に、長い帯状のペーパー本体が巻かれて形成されている。
【００３０】
なお、トイレットペーパー（ロール状の紙）には、芯材（Ｃ）を有していないタイプのものもある。
芯材Ｃを有するタイプの場合は、その芯材の内部の貫通孔が本考案における中心貫通孔に該当する。
芯材（Ｃ）を有さないタイプの場合は、その中心軸線部分に貫通孔が形成されている。その貫通孔が本考案における中心貫通孔に該当する。なお、その貫通孔には、上述の芯材Ｃの内部の貫通孔とほぼ同径の大径のものや、それよりも非常に細い小径のものもある。この実施形態のロール状紙ホルダでは、支持軸材３０が挿通され得る径の貫通孔を有するものが使用され得る。
【００３１】
外殻体１０は、合成樹脂によって一体的に形成されている。
外殻体１０は、屋根部１１，左右一対の側板部１２ａ，１２ｂ，手前側の前板部１３ａ，奥側の奥板部１３ｂを有している。そして、左右方向及び奥行方向ともに対称的な形状を有している。
外殻体１０の内部は空洞状とされており、その下部には底部がなく、全面的に開口する開口部１６（入出部，取り出し部）が形成されている。
【００３２】
屋根部１１，左右の各側板部１２ａ，１２ｂ，前板部１３ａ，奥板部１３ｂは、次のとおりである（外殻体１０を水平面に載置した状態に基づいて説明する）。
屋根部１１は、上方に凸状をなし左右方向に延びるほぼ半円筒状をしている。
左右の各側板部１２ａ，１２ｂは、鉛直の平板状をしている。
前板部１３ａ，奥板部１３ｂは、ほぼ鉛直の平板状をしている（正確には、上方から下方に向かうにつれて相互に離隔する方向に鉛直から若干傾斜している）。
左右の各側板部１２ａ，１２ｂ，前板部１３ａ，奥板部１３ｂの下端部は、ほぼ同一高さに位置している。
【００３３】
外殻体１０（その内部空間）の大きさは、収容されるトイレットペーパーＲＰの大きさに対応している。
すなわち、両側板部１２ａ，１２ｂの間の距離は、トイレットペーパーＲＰの幅（軸方向の長さ）に対応している。
屋根部１１の曲率半径は、未使用の状態のトイレットペーパーＲＰの半径に対応しており、前板部１３ａと奥板部１３ｂとの距離は、未使用の状態のトイレットペーパーＲＰの直径に対応している。
外殻体１０の高さ（すなわち、屋根部１１のうちの奥行方向における中央部分と前板部１３ａ・奥板部１３ｂ・側板部１２ａ，１２ｂの下端部との間の距離）は、未使用の状態のトイレットペーパーＲＰの直径よりも若干長くされている。
【００３４】
各側板部１２ａ，１２ｂには、側板貫通孔１４が形成されている。側板貫通孔１４は、屋根部１１の曲率中心（正確にはその近傍）を基準に上方に向かって延びており、屋根部１１の近傍にまで及んでいる。
側板貫通孔１４は、上方に向かうつれて幅広になっている。側板貫通孔１４が上方に向かうにつれて幅広になる度合いは、手前側及び奥側の両方向に均等であり、鉛直線を基準に各方向にほぼ１５°（合計でほぼ３０°）である。
すなわち、側板貫通孔１４のうちの奥側の内縁部は、上方に向かうにつれて奥側に向かうように鉛直からほぼ１５°傾斜しており、側板貫通孔１４のうちの手前側の内縁部も、上方に向かうにつれて手前側に向かうように鉛直からほぼ１５°傾斜している。
【００３５】
支持軸材３０も合成樹脂によって形成されている。
支持軸材３０は、ほぼ丸軸状をしている。支持軸材３０の両端部には、抜け止め部３２が形成されている。
支持軸材３０のうちの両抜け止め部３２の間の部分（支持軸材本体部３１ということとする）の長さは、トイレットペーパーＲＰの幅（軸方向の長さ）に対応している。
支持軸材本体部３１は、その長さ方向に沿ってほぼ同一の径を有している。
【００３６】
抜け止め部３２（そのうちの支持軸材本体部３１の側の端部等）は、支持軸材本体部３１よりも大径とされている。
支持軸材３０のうちの長さ方向におけるどの部分も、トイレットペーパーＲＰの芯材Ｃの内径よりも小径とされている。
【００３７】
支持軸材３０には、その軸線方向に沿って軸線貫通孔３３が形成されている。軸線貫通孔３３は、支持軸材３０の横断面（軸線方向とは直角の断面）における中心部分において、支持軸材３０の一端部から他端部にわたって形成されている。
【００３８】
次に、このロール状紙ホルダの使用方法及び作用効果について説明する。
図２及び図３に示すように、支持軸材３０の軸線貫通孔３３に対して、ひも材Ｓが挿通される。
一方、トイレットペーパーＲＰ（ロール状の紙）は、外殻体１０の内部空間に収容（配置）される。
【００３９】
そして、図１〜図４に示すように、支持軸材３０は、一方の側板部１２ａ（１２ｂ）の側板貫通孔１４，トイレットペーパーＲＰの芯材Ｃ，他方の側板部１２ｂ（１２ａ）の側板貫通孔１４にわたって挿通される。
こうして、図４に示すように、トイレットペーパーＲＰは、支持軸材３０のうちの支持軸材本体部３１（両抜け止め部３２の間の部分）に位置づけられる。このため、支持軸材３０がほぼ水平の状態において、芯材Ｃを有するトイレットペーパーＲＰは、自重に基づいて、芯材Ｃの内周面のうちの上側の部分が支持軸材３０（支持軸材本体部３１）の外周面のうちの上側の部分に当接する状態となり、各抜け止め部３２によって、トイレットペーパーＲＰが支持軸材３０から抜け出ることが防止される。
支持軸材３０の各端部は、外殻体１０の各側板部１２ａ，１２ｂの側板貫通孔１４に挿通状態とされる。
【００４０】
そして、ひも材Ｓの両端部は結合されてひも材Ｓはループ状とされ、図５及び図６に示すように、そのループ状のひも材Ｓは、テーブルの天板等の下面（図５）や部屋の壁面（図６）等に設けられたフックＨ等に対して係止される。
こうして、図５及び図６に示すように、このロール状紙ホルダがテーブルの天板（図５）や部屋の壁面（図６）等に対して吊り下げられる。
その際、外殻体１０は、自重に基づいて、その屋根部１１（その内面）が外殻体１０内に収容されたトイレットペーパーＲＰ（その上部）に当接する高さに位置する。
そして、トイレットペーパーＲＰ（そのペーパー本体）は、開口部１６から引き出され、所望の部位で切断されて使用される。
【００４１】
以上のように、このロール状紙ホルダは、支持軸材３０の軸線貫通孔３３に挿通されたひも材Ｓによって吊り下げられるため、トイレットペーパーＲＰ等が転動してしまうことが防止される。
また、このロール状紙ホルダは、左右一対の側板部１２ａ，１２ｂ，屋根部１１，前板部１３ａ，奥板部１３ｂを有しているために、その内部に収容されるトイレットペーパーＲＰ等が遮蔽され、見苦しい印象を与えることもない。
【００４２】
また、このロール状紙ホルダでは、トイレットペーパーＲＰの芯材Ｃ及び各側板の側板貫通孔１４に対して直接的にひも材Ｓが挿通されるものではなく、ひも材Ｓは、支持軸材３０の軸線貫通孔３３に挿通され、トイレットペーパーＲＰの芯材Ｃ及び各側板貫通孔１４に対しては支持軸材３０を介して間接的に挿通される。
このため、このロール状紙ホルダでは、トイレットペーパーＲＰが上述のように使用される際に、トイレットペーパーＲＰが円滑に回転し得る。
すなわち、ひも材Ｓが直接的にトイレットペーパーＲＰの芯材Ｃ及び各側板貫通孔１４に対して挿通される場合には、ひも材ＳとトイレットペーパーＲＰの芯材Ｃ（そのうちの各端部）との間の摩擦によってトイレットペーパーＲＰが円滑に回転しない事態もあり得る。しかし、このロール状紙ホルダでは、トイレットペーパーＲＰが支持軸材３０に対して回転する（及び／又は支持軸材３０がひも材Ｓに対して回転する）ことによってトイレットペーパーＲＰが回転するため、トイレットペーパーＲＰが円滑に回転し得るのである。
【００４３】
また、図４〜図６に示すように、このロール状紙ホルダでは、屋根部１１（その内面）がトイレットペーパーＲＰに当接している。すなわち、トイレットペーパーＲＰは、屋根部１１（その内面）に当接している。
そして、図５（ａ）→（ｂ），図６（ａ）→（ｂ）に示すように、前述のようにしてペーパー本体が使用され、トイレットペーパーＲＰの径が徐々に小さくなっていくにつれて、外殻体１０は徐々に下降し、支持軸材３０は、外殻体１０に対して相対的に徐々に上昇していき、上述のトイレットペーパーＲＰの屋根部１１に対する当接が維持される。こうして、トイレットペーパーＲＰの回転に対して抵抗が付与される。
このため、トイレットペーパーＲＰが過度に円滑に回転する（すなわち、回転しすぎる）ことが防止され、ロール状の紙が適切に回転し得ることとなる。
【００４４】
また、図６に示すように、ループ状とされたひも材Ｓが部屋の壁面等に設けられたフックＨ等に対して係止されて使用される場合には、そのひも材Ｓは、支持軸材３０（その軸線貫通孔３３）に挿通されている部分を基準に支持軸材３０から離隔する方向に向かうにつれて、上方に向かうとともに奥側に向かうように鉛直から傾斜する。
ここで、このロール状紙ホルダでは、側板貫通孔１４が、上方に向かうにつれて幅広になっている。すなわち、側板貫通孔１４のうちの奥側の内縁部は、上方に向かうにつれて奥側に向かうように鉛直から傾斜している。
このため、前述したようにトイレットペーパーＲＰが使用されて徐々に支持軸材３０が外殻体１０に対して相対的に上昇する際には、ひも材Ｓの傾斜方向又はそれに近い傾斜方向に沿って上昇することが可能であり、円滑に上昇することができる。
また、このロール状紙ホルダでは、奥板部１３ｂを有するとともに、側板貫通孔１４のうちの手前側の内縁部は、上方に向かうにつれて手前側に向かうように鉛直から傾斜しているため、前後を反転させても上述と同様に使用できる。
【００４５】
なお、上記のものはあくまで本考案の一実施形態にすぎず、当業者の知識に基づいて種々の変更を加えた態様で本考案を実施できることはもちろんである。
例えば、屋根部１１，前板部１３ａ，奥板部１３ｂのうちのいずれか又はすべては必ずしも有さなくてもよい。これらすべてを有さない場合は、左右の側板部１２ａ，１２ｂ同士は連結材等によって連結される。
また、側板貫通孔１４は、必ずしも上方に延びていなくてもよい。また、上方に延びる場合でも、上方に向かって徐々に幅広とはならずいずれの高さにおいてもほぼ同一の幅であってもよい。
【図面の簡単な説明】
【００４６】
【図１】本考案の一実施形態のロール状紙ホルダを示す斜視図である。
【図２】本考案の一実施形態のロール状紙ホルダを示す分解斜視図である。斜め上方から見た状態を示す。
【図３】本考案の一実施形態のロール状紙ホルダを示す分解斜視図である。斜め下方から見た状態を示す。
【図４】本考案の一実施形態のロール状紙ホルダを示す縦断面図である。
【図５】本考案の一実施形態のロール状紙ホルダの使用方法を示す側面図である。ひも材がテーブルの天板等の下面に設けられたフックに対して係止されて使用される状態を示す。
【図６】本考案の一実施形態のロール状紙ホルダの使用方法を示す側面図である。ひも材が部屋の壁面等に設けられたフックに対して係止されて使用される状態を示す。
【符号の説明】
【００４７】
１０  外殻体
１１  屋根部
１２ａ，１２ｂ  側板部
１３ａ  前板部
１３ｂ  奥板部
１４  側板貫通孔
１６  開口部（入出口，取り出し部）
３０  支持軸材
３２  抜け止め部
３３  軸線貫通孔
ＲＰ  トイレットペーパー（ロール状の紙）
Ｃ  芯材（中心貫通孔）
Ｓ ひも材
【図１】
0003117070.tif 000003
【図２】
0003117070.tif 000004
【図３】
0003117070.tif 000005
【図４】
0003117070.tif 000006
【図５】
0003117070.tif 000007
【図６】
0003117070.tif 000008